(57)【要約】【課題】  複数回の反射を行う反射部材を位置決め保持するにあたり、反射部材を大きくすることなく、反射部材の振動を抑制するようにして適切に保持できるようにする。【解決手段】  照明部材5と複数の反射部材9〜13と結像部材7と撮像素子6が搭載された読み取りユニット4において、原稿2からの反射光8を複数回反射させる反射部材10,11を、この反射部材の片面に当接する３つの当接部41a,42a,42bを有する支持部材41,42と、前記の当接部が当接する面と反対側の面から反射部材を３つの当接部に押圧させる押圧部材43とによって位置決め保持させるにあたり、３つの当接部の少なくとも１つを、前記の反射部材における長手方向の長さが最も長い反射領域8aの長手方向端部より内側に配置させるようにした。【選択図】  図５
2015177384.tif 000002
【特許請求の範囲】
【請求項１】
照明部材と複数の反射部材と結像部材と撮像素子とが読み取りユニットに搭載されており、原稿からの反射光を前記の複数の反射部材により複数回反射させて前記の結像部材に導き、結像部材により反射光を縮小させて前記の撮像素子に結像させる画像読取装置において、
前記の複数の反射部材のうち少なくとも一つの反射部材は、その反射面において複数回の反射を行い、この複数回の反射を行う複数の反射領域は、この反射部材の短手方向に並んでおり、
前記の複数回の反射を行う反射部材は、反射部材の片面に当接する３つの当接部を有する支持部材と、前記の当接部が当接する面と反対側の面から反射部材を３つの当接部に押圧させる押圧部材とによって位置決め保持され、
前記の当接部の少なくとも１つは、前記の反射部材における１つの反射領域の長手方向端部より内側に配置されることを特徴とする画像読取装置。
【請求項２】
請求項１に記載の画像読取装置において、
前記の複数回の反射を行う反射部材の長手方向一端側における反射面に当接する１つの当接部を有する支持部材が設けられると共に、前記の反射部材の長手方向他端側における反射面に当接する２つの当接部を有する支持部材が設けられ、
前記の１つの当接部を有する支持部材には、反射部材の短手方向に沿って反射部材の反射面に延出された脚部が、反射部材における反射領域と交差しないようにして長手方向の長さが最も長い反射領域の端部より内側の位置に設けられ、この脚部に前記の当接部が設けられていることを特徴とする画像読取装置。
【請求項３】
請求項１又は請求項２に記載の画像読取装置において、
前記の複数回の反射を行う反射部材の長手方向一端側における反射面に当接する１つの当接部を有する支持部材が設けられると共に、前記の反射部材の長手方向他端側における反射面に当接する２つの当接部を有する支持部材が設けられ、
前記の２つの当接部を有する支持部材には、反射部材の短手方向に沿って対向するようにして反射部材の反射面に延出された２つの脚部が、反射部材における反射領域と交差しないようにして長手方向の長さが最も長い反射領域の端部より内側の位置に設けられ、この２つの脚部にそれぞれ前記の当接部が設けられていることを特徴とする画像読取装置。
【請求項４】
請求項１〜請求項３の何れか１項に記載の画像読取装置において、
前記の当接部と前記の反射部材を介して対向するようにして、前記の支持部材に前記の押圧部材を取り付けるための切り込みが設けられ、この切り込みに取り付けられた押圧部材により、前記の反射部材の反射面が前記の当接部に押圧されることを特徴とする画像読取装置。
【請求項５】
請求項１に記載の画像読取装置において、
前記の複数回の反射を行う反射部材の長手方向一端側において反射面と反対側の面に当接する１つの当接部が設けられると共に、前記の反射部材の長手方向他端側において反射面と反対側の面に当接する２つの当接部が設けられた支持部材を用い、前記の１つの当接部と２つの当接部との少なくとも片側の当接部が、前記の反射部材において長手方向の長さが最も長い反射領域の端部より内側の位置に設けられ、
前記の反射部材を前記の当接部に対して押圧する押圧部材が、前記の反射部材における反射領域と交差しないようにして、反射部材の短手方向に沿って反射部材の反射面に延出されていることを特徴とする画像読取装置。
【請求項６】
請求項５に記載の画像読取装置において、
前記の１つの当接部と２つの当接部とが、前記の反射部材において長手方向の長さが最も長い反射領域の端部より内側の位置に設けられ、
前記の押圧部材が、長手方向の長さが最も長い反射領域の端部より内側の位置において、反射部材における反射領域と交差しないようにして、反射部材の短手方向に沿って反射部材の反射面に延出されていることを特徴とする画像読取装置。
【発明の詳細な説明】
【技術分野】
【０００１】
本発明は、画像記録装置やスキャナー等の画像読取装置に関する。特に、照明部材と複数の反射部材と結像部材と撮像素子とが読み取りユニットに搭載され、原稿からの反射光を複数の反射部材により複数回反射させて結像部材に導き、結像部材により反射光を縮小させて前記の撮像素子に結像させるようにした画像読取装置において、反射部材のサイズを大きくすることなく、反射部材の振動を適切に抑制できるようにした点に特徴を有するものである。
【背景技術】
【０００２】
縮小光学系を用いたスキャナーの読み取り方式には、３枚の反射部材を搭載した２つのスライダーを走査させて読み取りを行うミラースキャン方式と、読み取りユニットに、ＬＥＤ等の照明部材と、複数の反射部材と、レンズ等の結像部材と、ＣＣＤ等の撮像素子とを搭載させ、この読み取りユニットを走査させて読み取りを行うにユニットスキャン方式との２つの方式のものが知られている。
【０００３】
ここで、ミラースキャン方式は、走査するスライダーの重量が軽く、スライダーを高速で走査させることが容易なことから、読み取り速度の速い高速機では主流となっている。これに対して、ユニットスキャン方式は、一定の光路を保ちながら原稿の読み取りを行うため、画質の安定性に優れているものの、走査する読み取りユニットの重量が重くなるため、比較的読み取り速度の遅い低速機に採用されていた。
【０００４】
しかし、近年では、ＣＣＤ等の撮像素子における画素サイズの縮小や、照明部材となるＬＥＤの高照度化により、ＣＣＤ等の撮像素子やレンズ等の結像部材の小型化が進んでいる。このため、前記の読み取りユニットの小型・軽量化が可能となり、ミラースキャン方式が主流であった高速機の領域においても、ユニットスキャン方式の採用が進んでいくと考えられる。
【０００５】
ここで、ユニットスキャン方式では、読み取りユニット内において、複数の反射部材を用いて原稿からの反射光を折り返して反射させるようにしており、この読み取りユニットの小型化や軽量化を図るためには、薄型の反射部材を使用することが必要とされる。
【０００６】
しかし、薄型の反射部材を用いると、反射部材が振動しやすくなり、反射部材が振動すると、ピッチムラと呼ばれる読み取りムラや、読み取り画像の線揺らぎなどを引き起こし、読み取り画像の品質の低下を招くため、ユニットスキャン方式においては、反射部材の振動を抑制する対策が重要な課題となる。
【０００７】
ここで、読み取りユニットに使用される反射部材は一般に細長い形状であり、この反射部材を固定させるにあたっては、その長手方向の両端部を板バネ等の弾性部材によって支持部へ押し付けて固定させるのが一般的である。
【０００８】
しかし、このように反射部材の長手方向の両端部で支持部へ押し付けて固定させる場合は、長手方向中央部が撓みやすく、一般的に読み取り画像の品質に対する感度が高いとされる１００Ｈｚ〜５００Ｈｚの周波数帯で反射部材が振動しやすい状態となる。このため、ユニットスキャン方式に使用される薄型の反射部材に対して、長手方向の両端部を支持部へ押し付けて固定させる方法では、反射部材に振動が生じやすくなるという問題があった。
【０００９】
そして、反射部材の振動を防止するため、特許文献１においては、長尺の反射部材の長手方向両端部より内側の位置において２つの支持部材を設け、各支持部材により反射部材の短手方向両側の部分を支持する構造が示されている。
【００１０】
また、特許文献２においては、反射部材の長手方向の長さを長くし、書き込み利用範囲の両側であって、反射部材の長手方向両端部より内側の位置に２つの支持部材を設け、この２つの支持部材により反射部材を３箇所で支持すると共に、この２つの支持部材により長手方向両側に伸びた反射部材の長手方向両端部に、さらに２つの支持部材を設け、この２つの支持部材により反射部材の長手方向両端部を支持するようにしたものが示されている。
【００１１】
ここで、前記の特許文献１、２に示されたものにおいては、反射部材の長手方向両端部より内側の位置において反射部材を支持させるため、反射部材の長手方向両端部において反射部材を支持する場合に比べて、反射部材が振動する周波数を高周波域にシフトさせて、反射部材の振幅を抑えることができる。
【００１２】
ここで、特許文献１に示されるものにおいては、２つの支持部材により反射部材の短手方向両側の部分を支持する構造、すなわち反射部材の長手方向両側にそれぞれ２点の支持部を有し、合計４つの支持部によって反射部材を支持する構造となっている。しかし、このように４つの支持部によって反射部材を支持するようにした場合、この４つの支持部の位置や大きさ等にばらつきがあると、反射部材ががたついたり、反射部材に無理な力が加わって、反射部材が変形して平面度が低下したりするという問題があった。
【００１３】
また、特許文献２に示されるものにおいては、書き込み利用範囲の両側であって、反射部材の長手方向両端部より内側の位置において、２つの支持部材により反射部材を３箇所で支持するため、反射部材がこの３箇所に押し付けられて位置決めされ、反射部材ががたついたりするのは防止される。しかし、この２つの支持部材は、前記のように書き込み利用範囲の両側の部分に設けられ、さらにこの２つの支持部材よりも反射部材を長手方向両側に延出させ、このように延出された反射部材の長手方向両端部にも２つの支持部材を設けるため、反射部材の長手方向の長さが非常に長くなると共にその重量も増加し、読み取りユニットが大型化して、読み取りユニットの小型・軽量化に逆行するという問題があった。
【先行技術文献】
【特許文献】
【００１４】
【特許文献１】特開平５−２９７２６０号公報。
【特許文献２】特開２０００−２４１７３５号公報。
【発明の開示】
【発明が解決しようとする課題】
【００１５】
本発明は、照明部材と複数の反射部材と結像部材と撮像素子とが読み取りユニットに搭載され、原稿からの反射光を複数の反射部材により複数回反射させて結像部材に導き、結像部材により反射光を縮小させて前記の撮像素子に結像させるようにした画像読取装置における前記のような問題を解決することを課題とするものである。
【００１６】
本発明は、前記のような画像読取装置において、反射部材のサイズを大きくすることなく、反射部材の振動を適切に抑制できるようにすることを課題とするものである。
【課題を解決するための手段】
【００１７】
本発明においては、上記のような課題を解決するため、照明部材と複数の反射部材と結像部材と撮像素子とが読み取りユニットに搭載されており、原稿からの反射光を前記の複数の反射部材により複数回反射させて前記の結像部材に導き、結像部材により反射光を縮小させて前記の撮像素子に結像させる画像読取装置において、前記の複数の反射部材のうち少なくとも一つの反射部材は、その反射面において複数回の反射を行い、この複数回の反射を行う複数の反射領域は、この反射部材の短手方向に並んでおり、前記の複数回の反射を行う反射部材は、反射部材の片面に当接する３つの当接部を有する支持部材と、前記の当接部が当接する面と反対側の面から反射部材を３つの当接部に押圧させる押圧部材とによって位置決め保持され、前記の当接部の少なくとも１つは、前記の反射部材における１つの反射領域の長手方向端部より内側に配置されるようにした。
【００１８】
そして、このような画像読取装置としては、前記の複数回の反射を行う反射部材の長手方向一端側における反射面に当接する１つの当接部を有する支持部材が設けられると共に、前記の反射部材の長手方向他端側における反射面に当接する２つの当接部を有する支持部材が設けられ、前記の１つの当接部を有する支持部材には、反射部材の短手方向に沿って反射部材の反射面に延出された脚部が、反射部材における反射領域と交差しないようにして長手方向の長さが最も長い反射領域の端部より内側の位置に設けられ、この脚部に前記の当接部が設けられたものを用いることができる。
【００１９】
また、このような画像読取装置としては、前記の複数回の反射を行う反射部材の長手方向一端側における反射面に当接する１つの当接部を有する支持部材が設けられると共に、前記の反射部材の長手方向他端側における反射面に当接する２つの当接部を有する支持部材が設けられ、前記の２つの当接部を有する支持部材には、反射部材の短手方向に沿って対向するようにして反射部材の反射面に延出された２つの脚部が、反射部材における反射領域と交差しないようにして長手方向の長さが最も長い反射領域の端部より内側の位置に設けられ、この２つの脚部にそれぞれ前記の当接部が設けられたものを用いることができる。
【００２０】
さらに、前記のように１つの当接部を有する支持部材に、反射部材の短手方向に沿って反射部材の反射面に延出された脚部が、反射部材における反射領域と交差しないようにして長手方向の長さが最も長い反射領域の端部より内側の位置に設けられ、この脚部に前記の当接部が設けられると共に、２つの当接部を有する支持部材に、反射部材の短手方向に沿って対向するようにして反射部材の反射面に延出された２つの脚部が、反射部材における反射領域と交差しないようにして長手方向の長さが最も長い反射領域の端部より内側の位置に設けられ、この２つの脚部にそれぞれ前記の当接部が設けられたものを用いることができる。
【００２１】
また、前記のように複数回の反射を行う反射部材の長手方向一端側における反射面に当接する１つの当接部を有する支持部材が設けられると共に、前記の反射部材の長手方向他端側における反射面に当接する２つの当接部を有する支持部材が設けられた画像読取装置において、押圧部材によって前記の反射部材を各当接部に押圧させるにあたっては、反射部材を介して前記の当接部と対向するようにして、前記の支持部材に押圧部材を取り付けるための切り込みを設け、この切り込みに取り付けられた押圧部材によって、前記の反射部材の反射面を前記の当接部に押圧させるようにすることができる。
【００２２】
また、前記の画像読取装置としては、前記の複数回の反射を行う反射部材の長手方向一端側において反射面と反対側の面に当接する１つの当接部が設けられると共に、前記の反射部材の長手方向他端側において反射面と反対側の面に当接する２つの当接部が設けられた支持部材を用い、前記の１つの当接部と２つの当接部との少なくとも片側の当接部が、前記の反射部材において長手方向の長さが最も長い反射領域の端部より内側の位置に設けられ、前記の反射部材を前記の当接部に対して押圧する押圧部材が、前記の反射部材における反射領域と交差しないようにして、反射部材の短手方向に沿って反射部材の反射面に延出されたものを用いることができる。
【００２３】
また、前記の１つの当接部と２つの当接部とを、前記の反射部材において長手方向の長さが最も長い反射領域の端部より内側の位置に設け、前記の押圧部材を、長手方向の長さが最も長い反射領域の端部より内側の位置において、反射部材における反射領域と交差しないようにして、反射部材の短手方向に沿って反射部材の反射面に延出させるようにすることもできる。
【発明の効果】
【００２４】
本発明に係る画像読取装置においては、反射面において複数回の反射を行う反射部材を、反射部材の片面に当接する３つの当接部を有する支持部材と、前記の当接部が当接する面と反対側の面から反射部材を３つの当接部に押圧させる押圧部材とによって位置決め保持させるようにしたため、前記の反射部材ががたついたりするのが防止される。
【００２５】
また、前記３つの当接部の少なくとも１つを、前記の反射部材における１つの反射領域の長手方向端部より内側に配置させるようにしたため、反射部材の長手方向のサイズを大きくすることなく、反射部材の振動を適切に抑制できるようになる。
【図面の簡単な説明】
【００２６】
【図１】本発明の実施形態に係る画像読取装置の概略説明図である。
【図２】前記の実施形態に係る画像読取装置における読み取りユニットにおいて、原稿からの反射光が撮像素子に導かれる状態を示した概略説明図である。
【図３】前記の読み取りユニットにおいて、反射光が２回反射される反射部材において、最初に反射光が反射される反射領域の長手方向の幅よりも、２回目に反射光が反射される反射領域の長手方向の幅が小さくなる状態を示した概略正面図である。
【図４】前記の実施形態に係る画像読取装置における読み取りユニットにおいて、縮小光学系の光路展開を示した説明図である。
【図５】前記の実施形態に係る画像読取装置において、反射光が２回反射される反射部材を２つの支持部材に位置決め保持させる第１の保持形態を示した概略斜視図である。
【図６】前記の第１の保持形態において、２つの支持部材に位置決め保持された反射部材の反射面側から見た概略正面図である。
【図７】前記の第１の保持形態において、反射光が２回反射される反射部材の反射面に１つの当接部を当接させる支持部材側から見た概略側面図である。
【図８】前記の第１の保持形態において、反射光が２回反射される反射部材の反射面に２つの当接部を当接させる支持部材側から見た概略側面図である。
【図９】前記の第１の保持形態において、（Ａ）は１つの当接部が設けられた支持部材に押圧部材を取り付けた状態を示した概略斜視図、（Ｂ）は前記の支持部材から押圧部材を取り外した状態を示した概略斜視図である。
【図１０】前記の第１の保持形態において、（Ａ）は２つの当接部が設けられた支持部材に押圧部材を取り付けた状態を示した概略斜視図、（Ｂ）は前記の支持部材から押圧部材を取り外した状態を示した概略斜視図である。
【図１１】２回の反射を行うにあたり、２つの反射部材を複数の支持部によって支持させた従来例を示した概略正面図である。
【図１２】前記の実施形態に係る画像読取装置において、反射光が２回反射される反射部材を２つの支持部材に位置決め保持させる第２の保持形態を示した概略斜視図である。
【図１３】前記の第２の保持形態において、２つの支持部材に位置決め保持された反射部材の反射面側から見た概略正面図である。
【図１４】前記の第２の保持形態において、反射光が２回反射される反射部材の反射面に１つの当接部を当接させる支持部材側から見た概略側面図である。
【図１５】前記の第２の保持形態において、反射光が２回反射される反射部材の反射面に２つの当接部を当接させる支持部材側から見た概略側面図である。
【図１６】前記の実施形態に係る画像読取装置において、反射光が２回反射される反射部材を１つの支持部材に位置決め保持させる第３の保持形態を示した概略斜視図である。
【図１７】前記の第３の保持形態において、反射光が２回反射される反射部材を載置させる台座部の壁面に３つの当接部を設けた支持部材を示した概略正面図である。
【図１８】前記の第３の保持形態において、１つの支持部材に位置決め保持された反射部材の反射面側から見た概略正面図である。
【図１９】前記の第３の保持形態において、反射光が２回反射される反射部材を前記の支持部材に位置決め保持させた状態を示した概略側面図である。
【発明を実施するための最良の形態】
【００２７】
次に、本発明の実施形態に係る画像読取装置を添付図面に基づいて具体的に説明する。なお、本発明に係る画像読取装置は、下記の実施形態に示したものに限定されず、その要旨を変更しない範囲において適宜変更して実施できるものである。
【００２８】
この実施形態の画像読取装置１においては、図１の概略説明図に示すように、その内部に、移動可能に取り付けられた読み取りユニット４が、プラテンガラス３上に載置された原稿２の下部を矢印方向に走査し、原稿２における画像の読み取りを行うようになっている。
【００２９】
ここで、前記の読み取りユニット４には、図２の概略説明図に示すように、原稿２に光を照射するＬＥＤ等からなる照明部材５と、原稿２からの反射光８を複数回反射させる第１〜第５の反射部材９〜１３と、第１〜第５の反射部材９〜１３によって反射された反射光が導かれるレンズ等からなる結像部材７と、結像部材７により縮小された反射光が結像されて画像を読み取るＣＣＤ等からなる撮像素子６が搭載されている。
【００３０】
そして、この読み取りユニット４においては、原稿２からの反射光８が、第１反射部材９から第２反射部材１０に反射され、この第２反射部材１０から第３反射部材１１に反射された後、第３反射部材１１から第２反射部材１０に折り返すように反射され、またこの第２反射部材１０から第３反射部材１１に折り返すように反射された後、この第３反射部材１１から第４反射部材１２に反射され、さらにこの第４反射部材１２から第５反射部材１３に反射された後、この第５反射部材１３から結像部材７に導かれ、この結像部材７により反射光８が縮小されて撮像素子６の受光面に結像されようになっている。
【００３１】
ここで、この実施形態では、前記のように第２反射部材１０と第３反射部材１１とにおいてそれぞれ反射光８が２回反射されるようになっており、最初の反射は各反射部材１０、１１の短手方向下部側で行われ、２回目の反射は各反射部材１０、１１の短手方向上部側で行われるようになっている。
【００３２】
このようにして各反射部材１０、１１において、反射光８を２回反射させるようにした場合、図３に示すように、最初に反射光８が反射される各反射部材１０（１１）の短手方向下側における最初の反射領域８ａの長手方向の幅が大きくなり、２回目に反射光８が反射される各反射部材１０（１１）の短手方向上側における２回目の反射領域８ｂの長手方向の幅が小さくなる。
【００３３】
ここで、このように反射光８を２回反射させるようにした場合、最初に反射光８が反射される反射領域８ａの長手方向の幅が大きく、２回目に反射光８が反射される反射領域８ｂの長手方向の幅が小さくなる理由を、図４に示す縮小光学系の光路展開を示す説明図に基づいて説明する。
【００３４】
図４においては、複数の反射部材を記載していないが、前記のように原稿２から反射された反射光が複数の反射部材によって反射されながら結像部材７に導かれて、この結像部材７により反射光８が縮小されて撮像素子６上に結像されるようになっており、このような縮小光学系においては、原稿２において反射された反射光の光路長ｘが長くなるに連れて、反射光の光路幅ｙが次第に減少するようになる。
【００３５】
このため、反射光８が２回反射される各反射部材１０（１１）においては、原稿２からの反射光８の光路長ｘが短い最初に反射光８が反射される位置においては、反射光８の光路幅ｙが大きくなって反射領域８ａの長手方向の幅が大きくなり、最初に反射される位置よりも原稿２からの光路長ｘが長くなって２回目の反射が行われる位置においては、反射光８の光路幅ｙが小さくなって反射領域８ｂの長手方向の幅が小さくなる。
【００３６】
次に、前記のように２回の反射が行われる各反射部材１０（１１）を位置決め保持させる第１の保持形態を、図５〜図１０に基づいて説明する。
【００３７】
この第１の保持形態においては、図５及び図６に示すように、反射部材１０（１１）の長手方向の一端側において、２回目の反射が行われる長手方向の幅が小さくなった反射領域８ｂよりも反射部材１０（１１）の長手方向端部側の位置であって、最初の反射が行われる長手方向の幅が大きくなった反射領域８ａよりも長手方向内側の位置に、反射部材１０（１１）の反射面に１つの当接部４１ａを当接させて支持する支持部材４１を設ける一方、反射部材１０（１１）の長手方向の他端側において、最初の反射が行われる長手方向の幅が大きくなった反射領域８ａよりも反射部材１０（１１）の長手方向端部側の位置に、反射部材１０（１１）の反射面に２つの当接部４２ａ、４２ｂを当接させて支持する支持部材４２を設けている。
【００３８】
ここで、反射部材１０（１１）の反射面に１つの当接部４１ａを当接させて、反射部材１０（１１）をその長手方向の一端側において支持する支持部材４１においては、図７及び図９（Ａ），（Ｂ）に示すように、反射部材１０（１１）が挿入される空間を有する装着部４１ｃを設けると共に、この装着部４１ｃの上部側から反射部材１０（１１）の短手方向に沿った脚部４１ｄを、前記の長手方向の幅が大きくなった反射領域８ａと交差しない反射部材１０（１１）の反射面の中央部まで延出させ、この脚部４１ｄに凸状の当接部４１ａを設け、この当接部４１ａを反射部材１０（１１）の反射面に当接させている。
【００３９】
また、前記の１つの当接部４１ａと反射部材１０（１１）を介して対向する装着部４１ｃの位置に切り込み４４を設け、この切り込み４４に板バネからなる押圧部材４３を取り付け、この押圧部材４３により、反射部材１０（１１）の反射面と反対側の面から反射部材１０（１１）の反射面を前記の当接部４１ａに押圧させて、反射部材１０（１１）の長手方向の一端側をこの支持部材４１に位置決め保持させるようにしている。なお、切り込み４４に押圧部材４３を取り付けるにあたっては、押圧部材４３に切り起こし片４３ａを設け、この切り起こし片４３ａを切り込み４４の縁部に係合させて、押圧部材４３を切り込み４４に取り付けるようにしている。
【００４０】
一方、反射部材１０（１１）の反射面に２つの当接部４２ａ、４２ｂを当接させて、反射部材１０（１１）をその長手方向の他端側において支持する支持部材４２においては、図８及び図１０（Ａ），（Ｂ）に示すように、反射部材１０（１１）が挿入される装着部４２ｃを設けると共に、反射部材１０（１１）の短手方向に沿ってこの装着部４２ｃの上部側から下部側に連続した脚部４２ｅを、最初の反射が行われる長手方向の幅が大きくなった反射領域８ａよりも長手方向端部側の位置に設け、この脚部４２ｅに凸状になった２つの当接部４２ａ、４２ｂを、反射部材１０（１１）の短手方向に所要間隔を介して設け、この２つの当接部４２ａ、４２ｂを反射部材１０（１１）の反射面に当接させている。
【００４１】
また、前記の２つの当接部４２ａ、４２ｂの中央部と反射部材１０（１１）を介して対向する装着部４２ｃの位置に切り込み４４を設け、この切り込み４４に板バネからなる押圧部材４３を取り付け、この押圧部材４３により、反射部材１０（１１）の反射面と反対側の面から反射部材１０（１１）の反射面を前記の２つの当接部４２ａ、４２ｂに押圧させて、反射部材１０（１１）の長手方向の他端側をこの支持部材４２に位置決め保持させるようにしている。なお、切り込み４４に押圧部材４３を取り付けるにあたっては、前記の場合と同様に、押圧部材４３に切り起こし片４３ａを設け、この切り起こし片４３ａを切り込み４４の縁部に係合させて、押圧部材４３を切り込み４４に取り付けるようにしている。
【００４２】
そして、この第１の保持形態においては、前記のように２回の反射が行われる反射部材１０（１１）を、１つの当接部４１ａが設けられた支持部材４１の装着部４１ｃと、２つの当接部４２ａ、４２ｂが設けられた支持部材４２の装着部４２ｃに挿入して装着させ、支持部材４１、４２に設けられた計３点の当接部４１ａ、４２ａ、４２ｂに反射部材１０（１１）の反射面を当接させると共に、この反射部材１０（１１）の反射面と反対側の面から押圧部材４３、４３により、反射部材１０（１１）の反射面を前記の各当接部４１ａ、４２ａ、４２ｂに押圧させて、反射部材１０（１１）を２つの支持部材４１、４２に位置決め保持させるようにしている。
【００４３】
このようにすると、２回の反射が行われる反射部材１０（１１）が、支持部材４１、４２に設けられた計３点の当接部４１ａ、４２ａ、４２ｂに押圧されて適切な状態で位置決め保持されるようになり、従来のように反射部材を４点の支持部によって支持する場合のように、この４つの支持部の位置や大きさ等にばらつきがあると、反射部材ががたついたり、反射部材が変形して平面度が低下したりして、ピントのずれを引き起こしたり、フォーカス深度を悪化させたりするということがなくなる。
【００４４】
次に、図１１に示すように、２回の反射を２つの反射部材１００、１０１を用い、下に位置する反射部材１００において最初の反射を行う一方、上に位置する反射部材１０１において２回目の反射を行うようにした従来のものと、前記の第１の保持形態のものとを比較する。
【００４５】
ここで、図１１に示すものにおいては、下に位置する反射部材１００における反射領域８ａの長手方向の幅が、上に位置する反射部材１０１における反射領域８ｂの長手方向の幅より大きくなっており、下に位置する反射部材１００における反射領域８ａよりも長手方向端部側の位置において、この反射部材１００を支持部１１０、１１１によって支持させると共に、上に位置する反射部材１０１における反射領域８ｂよりも長手方向端部側の位置において、この反射部材１０１を支持部１１２、１１３によって保持させるようにしている。
【００４６】
そして、このように反射領域８ａの長手方向の幅が大きくなった下に位置する反射部材１００において、この反射領域８ａよりも長手方向端部側の位置において支持部１１０、１１１によって保持させると、この反射部材１００の長手方向の長さを長くすることが必要になり、特に、支持部１１０、１１１によって保持された反射部材１００の振動を抑制のためには、一般に、支持部１１０、１１１から長手方向端部側に延出させる反射部材１００の長さを反射部材１１０の全長の０．１〜０．３倍にすることが好ましいとされており、このため、下に位置する反射部材１００の長手方向の長さを非常に長くすることが必要になる。
【００４７】
これに対して、前記の第１の保持形態のものにおいては、反射部材１０（１１）をその長手方向の一端側において支持する一方の支持部材４１を、長手方向の幅が大きくなった反射領域８ａよりも長手方向内側の位置に設け、この支持部材４１から反射部材１０（１１）の長手方向の一端側が突出される長さが長くなるようにしているため、反射部材１０（１１）の長手方向の長さを、図１１に示す下に位置する反射部材１００より短くしても、反射部材１０（１１）を振動しないようにして適切に保持することができるようになり、また図１１に示す２つの反射部材１００，１０１を足し合わせた大きさよりも、反射部材１０（１１）を小型化して軽量化することもできるようになる。
【００４８】
次に、２回の反射が行われる各反射部材１０、１１を位置決め保持させる第２の保持形態を、図１２〜図１５に基づいて説明する。
【００４９】
この第２の保持形態においては、図１２及び図１３に示すように、前記の第１の保持形態と同様に、反射部材１０（１１）の長手方向の一端側において、２回目の反射が行われる長手方向の幅が小さくなった反射領域８ｂよりも反射部材１０（１１）の長手方向端部側の位置であって、最初の反射が行われる長手方向の幅が大きくなった反射領域８ａよりも長手方向内側の位置に、反射部材１０（１１）の反射面に１つの当接部４１ａを当接させて支持する支持部材４１を設け、この支持部材４１の当接部４１ａに、前記の押圧部材４３により反射部材１０（１１）の反射面を押圧させて、反射部材１０（１１）の長手方向の一端側をこの支持部材４１に位置決め保持させるようにしている。
【００５０】
一方、この第２の保持形態において、図１２及び図１３に示すように、反射部材１０（１１）の長手方向の他端側においては、２回目の反射が行われる長手方向の幅が小さくなった反射領域８ｂよりも反射部材１０（１１）の長手方向端部側の位置であって、最初の反射が行われる長手方向の幅が大きくなった反射領域８ａよりも長手方向内側の位置において、反射部材１０（１１）の反射面に２つの当接部４５ａ、４５ｂを当接させて支持する支持部材４５を設けるようにしている。
【００５１】
ここで、この支持部材４５においては、図１２、図１３及び図１５に示すように、反射部材１０（１１）が挿入される空間を有する装着部４５ｃを設け、この装着部４５ｃの上部側から下方に向けて反射部材１０（１１）の短手方向に沿った脚部４５ｄを延出させると共に、前記の装着部４５ｃの下部側から上方に向けて反射部材１０（１１）の短手方向に沿った脚部４５ｅを延出させ、これらの脚部４５ｄ、４５ｅが長手方向の幅が大きくなった反射領域８ａと交差しないようにし、これらの脚部４５ｄ、４５ｅに凸状の当接部４５ａ、４５ｂを設け、これらの当接部４５ａ、４５ｂを反射部材１０（１１）の反射面に当接させている。
【００５２】
また、前記の２つの当接部４５ａ、４５ｂの中央部と反射部材１０（１１）を介して対向する装着部４５ｃの位置に切り込み４４を設け、この切り込み４４に板バネからなる押圧部材４３を取り付け、この押圧部材４３により、反射部材１０（１１）の反射面と反対側の面から反射部材１０（１１）の反射面を前記の２つの当接部４５ａ、４５ｂに押圧させて、反射部材１０（１１）の長手方向の他端側をこの支持部材４５に位置決め保持させるようにしている。
【００５３】
このようにすると、２回の反射が行われる反射部材１０（１１）が、支持部材４１、４５に設けられた計３点の当接部４１ａ、４５ａ、４５ｂに押圧されて適切な状態で位置決め保持されるようになり、従来のように反射部材を４点の支持部によって支持する場合のように、この４つの支持部の位置や大きさ等にばらつきがあると、反射部材ががたついたり、反射部材が変形して平面度が低下したりして、ピントのずれを引き起こしたり、フォーカス深度を悪化させたりするということがなくなる。
【００５４】
また、この第２の保持形態においては、前記の支持部材４１、４５を、最初の反射が行われる長手方向の幅が大きくなった反射領域８ａよりも長手方向内側の位置に配置させ、長手方向の幅が大きくなった反射領域８ａよりも長手方向内側の位置において、反射部材１０（１１）の反射面を、前記の押圧部材４３、４３により、これらの支持部材４１、４５に設けられた計３点の当接部４１ａ、４５ａ、４５ｂに押圧させて位置決め保持させ、反射部材１０（１１）が前記の支持部材４１、４５から長手方向両側に突出されるようにしている。
【００５５】
このため、この第２の保持形態においては、反射部材１０（１１）の長手方向の長さを長くしなくても、反射部材１０（１１）の反射面が支持部材４１、４５に設けられた計３点の当接部４１ａ、４５ａ、４５ｂに押圧されて位置決め保持される位置から、反射部材１０（１１）の長手方向両側に突出される反射部材１０（１１）の長さが長くなり、反射部材１０（１１）が振動するのを、前記の第１の保持形態よりもさらに適切に抑制できるようになる。
【００５６】
なお、前記の第１の保持形態においては、反射部材１０（１１）の反射面に１つの当接部４１ａを当接させて支持する支持部材４１を、長手方向の幅が大きくなった反射領域８ａよりも長手方向内側の位置に配置させる一方、反射部材１０（１１）の反射面に２つの当接部４２ａ、４２ｂを当接させて支持する支持部材４２を、長手方向の幅が大きくなった反射領域８ａよりも反射部材１０（１１）の長手方向端部側の位置に配置させるようにしたが、反射部材１０（１１）の反射面に１つの当接部４１ａを当接させて支持する支持部材４１を、長手方向の幅が大きくなった反射領域８ａよりも反射部材１０（１１）の長手方向端部側の位置に配置させる一方、第２の保持形態に示すような、反射部材１０（１１）の反射面に２つの当接部４５ａ、４５ｂを当接させて支持する支持部材４５を、長手方向の幅が大きくなった反射領域８ａよりも長手方向内側の位置に配置させるようにすることも可能である。
【００５７】
次に、２回の反射が行われる各反射部材１０、１１を位置決め保持させる第３の保持形態を、図１６〜図１９に基づいて説明する。
【００５８】
この第３の保持形態においては、図１６〜図１８に示すように、反射部材１０（１１）を支持部材４６の台座部４７に載置させるようにし、反射部材１０（１１）の反射面と反対側の面が対面する台座部４７の壁面４７ａに、前記の反射部材１０（１１）の長さ方向一端側において凸状の１つの当接部４６ａを設けると共に、前記の反射部材１０（１１）の長さ方向他端側において凸状の２つの当接部４６ｂ、４６ｃを、反射部材１０（１１）の短手方向に所要間隔を介して設けている。
【００５９】
ここで、この第３の保持形態においては、図１８に示すように、前記の反射部材１０（１１）の長さ方向一端側における１つの当接部４６ａ及び前記の反射部材１０（１１）の長さ方向他端側における２つの当接部４６ｂ、４６ｃを、それぞれ前記の反射部材１０（１１）において最初の反射が行われる長手方向の幅が大きくなった反射領域８ａよりも長手方向内側の位置で、２回目の反射が行われる長手方向の幅が小さくなった反射領域８ｂよりも長手方向端部側の位置に設けている。
【００６０】
また、この第３の保持形態においては、前記の１つの当接部４６ａと対応する位置に、コ字状の板バネからなる押圧部材４９を設けると共に、前記の２つの当接部４６ｂ、４６ｃと対応する位置に、コ字状の板バネからなる押圧部材４９を設けるようにしている。
【００６１】
そして、前記の各押圧部材４９の一端側を、図１９に示すように、前記の支持部材４６に設けられた係止溝部４８内に挿入させて係止させる一方、各押圧部材４９の他端側を、支持部材４６の台座部４７に載置された反射部材１０（１１）の上から反射部材１０（１１）の短手方向に沿って反射部材１０（１１）の反射面に導くようにしている。
【００６２】
また、図１８に示すように、各押圧部材４９、４９の他端側の端部を前記の長手方向の幅が大きくなった反射領域８ａと交差しない反射部材１０（１１）の反射面の中央部まで延出させて、各押圧部材４９、４９により反射部材１０（１１）の反射面を、支持部材４６における台座部４７の壁面４７ａに向けて押圧させるようにしている。
【００６３】
このようにすると、各押圧部材４９、４９によって、前記の反射部材１０（１１）の反射面と反対側の面が、支持部材４６における台座部４７の壁面４７ａに設けられた反射部材１０（１１）の長さ方向一端側における１つの当接部４６ａと、反射部材１０（１１）の長さ方向他端側における２つの当接部４６ｂ、４６ｃとに押圧されて、反射部材１０（１１）がその長手方向両側において支持部材４６に位置決め保持されるようになる。
【００６４】
この結果、この第３の保持形態においても、前記の第１及び第２の保持形態と同様に、２回の反射が行われる反射部材１０（１１）が、支持部材４６に設けられた計３点の当接部４６ａ、４６ｂ、４６ｃに押圧されて適切な状態で位置決め保持されるようになり、従来のように反射部材を４点の支持部によって支持する場合のように、この４つの支持部の位置や大きさ等にばらつきがあると、反射部材ががたついたり、反射部材が変形して平面度が低下したりして、ピントのずれを引き起こしたり、フォーカス深度を悪化させたりするということがなくなる。
【００６５】
また、この第３の保持形態においては、最初の反射が行われる長手方向の幅が大きくなった反射領域８ａよりも長手方向内側の位置に配置された前記の各押圧部材４９、４９により、反射部材１０（１１）の反射面と反対側の面を、前記の支持部材４６に設けられた前記の３つの当接部４６ａ、４６ｂ、４６ｃに押圧させて位置決め保持させ、反射部材１０（１１）が前記の各押圧部材４９、４９から長手方向両側に突出されるようにしている。
【００６６】
このため、この第３の保持形態においては、反射部材１０（１１）の長手方向の長さを長くしなくても、反射部材１０（１１）の反射面が各押圧部材４９、４９により、支持部材４６の長手方向両側における３点の当接部４６ａ、４６ｂ、４６ｃに押圧されて位置決め保持される位置から、反射部材１０（１１）の長手方向両側に突出される反射部材１０（１１）の長さが長くなり、前記の第２の保持形態と同様に、反射部材１０（１１）が振動するのを、前記の第１の保持形態よりもさらに適切に抑制できるようになる。
【符号の説明】
【００６７】
２  原稿
３  プラテンガラス
４  読み取りユニット
５  照明部材
６  撮像素子
７  結像部材
８ａ  最初の反射領域
８ｂ  ２回目の反射領域
９  第１反射部材
１０  第２反射部材
１１  第３反射部材
１２  第４反射部材
１３  第５反射部材
４１  支持部材、４１ａ  当接部、４１ｃ  装着部、４１ｄ  脚部
４２  支持部材、４２ａ，４２ｂ  当接部、４２ｃ  装着部、４２ｄ  脚部
４３  押圧部材、４３ａ  切り起こし片
４４  切り込み
４６  支持部材、４６ａ，４６ｂ，４６ｃ  当接部
４７  台座部、４７ａ  壁面
４８  係止溝部
４９  押圧部材
【図１】
2015177384.tif 000003
【図２】
2015177384.tif 000004
【図３】
2015177384.tif 000005
【図４】
2015177384.tif 000006
【図５】
2015177384.tif 000007
【図６】
2015177384.tif 000008
【図７】
2015177384.tif 000009
【図８】
2015177384.tif 000010
【図９】
2015177384.tif 000011
【図１０】
2015177384.tif 000012
【図１１】
2015177384.tif 000013
【図１２】
2015177384.tif 000014
【図１３】
2015177384.tif 000015
【図１４】
2015177384.tif 000016
【図１５】
2015177384.tif 000017
【図１６】
2015177384.tif 000018
【図１７】
2015177384.tif 000019
【図１８】
2015177384.tif 000020
【図１９】
2015177384.tif 000021